(57)【要約】【課題】施設内における写真撮影及び写真プリントを促進させる。【解決手段】各チェックポイント７はその現在位置情報（チェックポイント位置情報）をＧＰＳ衛星８から受信してアクセスポイント３を介しサーバ４に送信する。サーバ７は、受信したチェックポイント位置情報を施設内で使用中の各デジタルカメラ１に送信する。デジタルカメラ１は、その現在位置情報（デジタルカメラ位置情報）をＧＰＳ衛星８から受信する。デジタルカメラ１は、施設の地図の画像を記憶しており、地図の画像、デジタルカメラ位置情報及びチェックポイント位置情報に基づき、デジタルカメラ１の施設の地図上の位置及びチェックポイントの施設の地図上の位置を示す画像を合成して記憶する。ユーザはこの合成画像（フォトラリーマップ）を参照しながら静止あるいは移動するチェックポイント７を探し出すことができる。【選択図】  図１
2005189905.tif 000002
【特許請求の範囲】
【請求項１】
所定の施設内に位置するチェックポイントの現在位置を示す第１現在位置情報を送信するサーバと、
固有の識別子を記憶する識別子記憶手段と、被写体を撮像して被写体像を表す被写体画像を出力する撮像手段と、前記被写体画像を前記識別子とともに画像ファイルとして送信する送信手段と、前記第１現在位置情報を前記サーバから受信する受信手段と、前記第１現在位置情報に基づいて前記チェックポイントの前記所定の施設内における現在位置を表示する表示手段とを有するデジタルカメラと、
前記デジタルカメラから送信された被写体画像を前記識別子ごとに分別して印刷するプリンタと、
を備える写真サービスシステム。
【請求項２】
前記チェックポイントは前記第１現在位置情報をＧＰＳ（Global Positioning System）衛星から受信する第１ＧＰＳ受信手段と、前記第１現在位置情報を前記サーバに送信する位置情報送信手段とを有し、
前記サーバは前記チェックポイントから送信された第１現在位置情報を受信して前記デジタルカメラに送信する請求項１に記載の写真サービスシステム。
【請求項３】
前記デジタルカメラは表示切替の指示を受け付ける表示切替指示手段をさらに有する請求項１又は２に記載の写真サービスシステム。
【請求項４】
前記デジタルカメラは前記指示に従って前記表示手段を制御して前記被写体画像又は前記チェックポイントの前記所定の施設内における現在位置のいずれか一方を表示させる切替制御手段をさらに有する請求項３に記載の写真サービスシステム。
【請求項５】
前記サーバは前記所定の施設に関する情報である施設情報を前記デジタルカメラに送信し、前記デジタルカメラは前記施設情報を前記受信手段により受信し、前記表示手段は前記受信した施設情報を表示する請求項３に記載の写真サービスシステム。
【請求項６】
前記デジタルカメラは前記指示に従って前記表示手段を制御して前記被写体画像、前記チェックポイントの前記所定の施設内における現在位置又は前記施設情報のいずれか一つを表示させる切替制御手段をさらに有する請求項５に記載の写真サービスシステム。
【請求項７】
前記デジタルカメラは前記画像ファイルに前記施設情報を記憶させる施設情報記憶手段をさらに有する請求項５又は６に記載の写真サービスシステム。
【請求項８】
前記デジタルカメラは前記デジタルカメラの現在位置を示す第２現在位置情報をＧＰＳ衛星から受信する第２ＧＰＳ受信手段をさらに有する請求項１〜７のいずれか1項に記載の写真サービスシステム。
【請求項９】
前記デジタルカメラは撮影状況に関する情報である撮影情報を前記画像ファイルに記憶させる撮影情報記憶手段をさらに有する請求項８に記載の写真サービスシステム。
【請求項１０】
前記撮影情報は前記撮像が行なわれた時点で受信している第２現在位置情報を含む請求項９に記載の写真サービスシステム。
【請求項１１】
前記表示手段は前記第２現在位置情報にさらに基づいて前記チェックポイント及び前記デジタルカメラの前記所定の施設内における現在位置を表示する請求項８に記載の写真サービスシステム。
【請求項１２】
前記デジタルカメラは前記画像ファイルを所定の記録媒体に記録させる記録制御手段をさらに有する請求項１〜１１のいずれか１項に記載の写真サービスシステム。
【請求項１３】
固有の識別子を記憶する識別子記憶手段と、
被写体を撮像して被写体像を表す被写体画像を出力する撮像手段と、
前記被写体画像を前記識別子とともに画像ファイルとして送信する送信手段と、
所定の施設内に位置するチェックポイントの現在位置を示す第１現在位置情報を受信する受信手段と、
前記第１現在位置情報に基づいて前記チェックポイントの前記所定の施設内における現在位置を表示する表示手段と、
を有するデジタルカメラ。
【請求項１４】
請求項１３に記載のデジタルカメラに前記第１現在位置情報を送信するサーバ。
【請求項１５】
請求項１３に記載のデジタルカメラから送信された被写体画像を前記識別子ごとに分別して印刷するプリンタ。
【発明の詳細な説明】
【技術分野】
【０００１】
本発明は、所定の施設内で撮影された画像をプリントする写真サービスシステムに関する。
【背景技術】
【０００２】
従来、テーマパークなどの施設の利用促進を図るシステムが様々提案されている。例えば、特許文献１の端末装置は、ＩＤ情報を格納するメモリと、位置情報を受信するＧＰＳ受信部と、情報処理装置からアトラクションの混雑情報などを受信したりビデオカメラで撮影した画像を他の端末装置に送信できる送受信部とを有している。この端末装置の所有者は自身の正確な位置を知ることができ、グループで来場し別行動をとった場合でも相手の端末装置の居場所を情報処理装置から得ることができ、所有者同士で画像の情報交換もできる。特許文献２の情報システムは、サーバが携帯端末から受信した位置情報をパレードの実施予定情報と関連付け、パレードの実施予定位置周辺における携帯端末の混雑具合を混雑情報として生成して携帯端末に送信する。携帯端末は、サーバから混雑情報を受信すると、受信された混雑情報をディスプレイに表示する。従って、携帯端末を携帯する入場者はパレードの実施予定位置周辺の混雑具合を知ることができる。特許文献３のエリア情報提供システムでは、管理サーバが基地局装置を介して携帯端末装置から送信された位置情報に基づいて携帯端末装置の位置的な集中度を算出し、これに基づく混雑情報を携帯端末装置に無線配信する。これにより利用者は混雑を回避できる。特許文献４の写真サービスシステムでは、デジタルカメラが撮影画像及び識別情報を写真サービスセンタに無線送信し、写真サービスセンタは受信した画像に基づいて写真をプリントしてユーザごとに仕分ける。
【特許文献１】特開２００１−３２６５９８号公報
【特許文献２】特開２００２−１８８９３４号公報
【特許文献３】特開２００２−１８９８２７号公報
【特許文献４】特開２００１−１９７４０７号公報
【発明の開示】
【発明が解決しようとする課題】
【０００３】
ところが、上述の特許文献１〜３によると、施設を利用する際の利便性は向上するが、施設においてデジタルカメラによる撮影を促進させるための具体的技術は開示されていない。また、特許文献４によると施設内で撮影した画像を簡便に写真プリントできるが、この画像を実際に写真プリントするか否かを判断するのは各ユーザに委ねられており、写真プリントの増大を図るための具体的技術も開示されていない。このような問題点に鑑み、本発明は施設内における写真撮影及び写真プリントを促進させることを目的とする。
【課題を解決するための手段】
【０００４】
上述の課題を解決するための請求項１に係る発明は、所定の施設内に位置するチェックポイントの現在位置を示す第１現在位置情報を送信するサーバと、固有の識別子を記憶する識別子記憶手段と、被写体を撮像して被写体像を表す被写体画像を出力する撮像手段と、前記被写体画像を前記識別子とともに画像ファイルとして送信する送信手段と、前記第１現在位置情報を前記サーバから受信する受信手段と、前記第１現在位置情報に基づいて前記チェックポイントの前記所定の施設内における現在位置を表示する表示手段とを有するデジタルカメラと、前記デジタルカメラから送信された被写体画像を前記識別子ごとに分別して印刷するプリンタと、を備える写真サービスシステムである。
【０００５】
請求項２に係る発明は、前記チェックポイントは前記第１現在位置情報をＧＰＳ（Global Positioning System）衛星から受信する第１ＧＰＳ受信手段と、前記第１現在位置情報を前記サーバに送信する位置情報送信手段とを有し、前記サーバは前記チェックポイントから送信された第１現在位置情報を受信して前記デジタルカメラに送信する請求項１に記載の写真サービスシステムである。
【０００６】
請求項３に係る発明は、前記デジタルカメラは表示切替の指示を受け付ける表示切替指示手段をさらに有する請求項１又は２に記載の写真サービスシステムである。
【０００７】
請求項４に係る発明は、前記デジタルカメラは前記指示に従って前記表示手段を制御して前記被写体画像又は前記チェックポイントの前記所定の施設内における現在位置のいずれか一方を表示させる切替制御手段をさらに有する請求項３に記載の写真サービスシステムである。
【０００８】
請求項５に係る発明は、前記サーバは前記所定の施設に関する情報である施設情報を前記デジタルカメラに送信し、前記デジタルカメラは前記施設情報を前記受信手段により受信し、前記表示手段は前記受信した施設情報を表示する請求項３に記載の写真サービスシステムである。
【０００９】
請求項６に係る発明は、前記デジタルカメラは前記指示に従って前記表示手段を制御して前記被写体画像、前記チェックポイントの前記所定の施設内における現在位置又は前記施設情報のいずれか一つを表示させる切替制御手段をさらに有する請求項５に記載の写真サービスシステムである。
【００１０】
請求項７に係る発明は、前記デジタルカメラは前記画像ファイルに前記施設情報を記憶させる施設情報記憶手段をさらに有する請求項５又は６に記載の写真サービスシステムである。
【００１１】
請求項８に係る発明は、前記デジタルカメラは前記デジタルカメラの現在位置を示す第２現在位置情報をＧＰＳ衛星から受信する第２ＧＰＳ受信手段をさらに有する請求項１〜７のいずれか1項に記載の写真サービスシステムである。
【００１２】
請求項９に係る発明は、前記デジタルカメラは撮影状況に関する情報である撮影情報を前記画像ファイルに記憶させる撮影情報記憶手段をさらに有する請求項８に記載の写真サービスシステムである。
【００１３】
請求項１０に係る発明は、前記撮影情報は前記撮像が行なわれた時点で受信している第２現在位置情報を含む請求項９に記載の写真サービスシステムである。
【００１４】
請求項１１に係る発明は、前記表示手段は前記第２現在位置情報にさらに基づいて前記チェックポイント及び前記デジタルカメラの前記所定の施設内における現在位置を表示する請求項８に記載の写真サービスシステムである。
【００１５】
請求項１２に係る発明は、前記デジタルカメラは前記画像ファイルを所定の記録媒体に記録させる記録制御手段をさらに有する請求項１〜１１のいずれか１項に記載の写真サービスシステムである。
【００１６】
請求項１３に係る発明は、固有の識別子を記憶する識別子記憶手段と、被写体を撮像して被写体像を表す被写体画像を出力する撮像手段と、前記被写体画像を前記識別子とともに画像ファイルとして送信する送信手段と、所定の施設内に位置するチェックポイントの現在位置を示す第１現在位置情報を受信する受信手段と、前記第１現在位置情報に基づいて前記チェックポイントの前記所定の施設内における現在位置を表示する表示手段と、を有するデジタルカメラである。
【００１７】
請求項１４に係る発明は、請求項１３に記載のデジタルカメラに前記第１現在位置情報を送信するサーバである。
【００１８】
請求項１５に係る発明は、請求項１３に記載のデジタルカメラから送信された被写体画像を前記識別子ごとに分別して印刷するプリンタである。
【発明の効果】
【００１９】
上記発明によると、所定の施設内に静的あるいは動的に位置するチェックポイントの現在位置がサーバからデジタルカメラに送信され、チェックポイントの施設内における現在位置が表示される。従って、デジタルカメラのユーザはチェックポイントの現在位置を確認して探し出し、これを被写体として撮影できる。デジタルカメラの撮影した画像は識別子とともに送信され、プリンタは送信された画像を識別子ごとに分別して印刷する。従って、印刷した画像にチェックポイントが写っているか、あるいはいくつチェックポイントを写したかをデジタルカメラのユーザごとに判断できる。そして、印刷した画像にチェックポイントが写っているか、あるいはいくつチェックポイントを写したかに応じてユーザに景品を提供するようにすれば、ユーザが積極的にチェックポイントを探し出して撮影することが期待され、撮影及び写真プリントの増大につながる。
【発明を実施するための最良の形態】
【００２０】
以下、添付した図面を参照し本発明の好ましい実施例を説明する。
【実施例１】
【００２１】
（１）機能構成
図１は本発明の好ましい一実施例に係る写真サービスシステムの機能構成図である。このシステムは、例えばディズニーランドのようなテーマパーク等の限られた領域（施設）内で使用するシステムである。このシステムは、施設の入場者に有料又は無料で貸し出されるデジタルカメラ１と、施設内の所定の場所に設置されるサービスセンタ２と、チェックポイント７と、施設内の各所に移動するデジタルカメラ１と無線通信可能な位置に適宜配置されるアクセスポイント３とを含む。このシステムは、チェックポイント７をデジタルカメラ１で撮影させ、撮影することができたチェックポイント７の数に応じて景品を提供するゲーム（以下、フォトラリーという）に用いられる。
【００２２】
チェックポイント７は、一意的な識別子を半導体ＲＯＭなどに記憶しており、ＧＰＳ衛星８から現在位置情報を受信するＧＰＳ受信部７１と、ＧＰＳ受信部７１の受信した現在位置情報（以下、チェックポイント位置情報という）を識別子とともにサーバ４に送信する。サーバ４は識別子及びチェックポイント位置情報を受信し、各チェックポイント位置情報を識別子と対応付けて記憶する。チェックポイント７はフォトラリーにおけるデジタルカメラ１の被写体となりうるが、その位置は施設内の固定位置であってもよいし、マスコットキャラクターなどにチェックポイント７を携帯させて施設内を自由に移動させてもよい。あるいは、時刻によってチェックポイント７の位置を変化させたり、特定の時間にのみチェックポイント７の電源をオンにして現在位置情報を受信できる状態（出現状態）にし、それ以外の時間では電源をオフにして現在位置情報を受信できない状態（消滅状態）にしてもよい。そして、チェックポイント７が移動したり出現・消滅する場合即ちチェックポイント位置情報が変化する場合は、変化する都度あるいは所定時間ごと（例えば１０秒ごと）に新しいチェックポイント位置情報をチェックポイント７からサーバ４に送信するなどしてサーバ４の記憶したチェックポイント位置情報を更新することが好ましい。そして、サーバ４は記憶しているチェックポイント位置情報を施設内で使用中の各デジタルカメラ１に送信（配信）する。チェックポイント位置情報の送信のタイミングは任意に設定でき、例えば記憶されたチェックポイント位置情報が更新されるごとに送信してもよいし、あるいは所定時間ごと（例えば５秒ごと）に送信するようにしてもよい。
【００２３】
また、サーバ４は、施設に関する情報である施設情報を施設内で使用されている各デジタルカメラ１に送信する。施設情報としては、例えば各チェックポイント７から送信されるチェックポイント位置情報を送信元のチェックポイント７の識別子とともに受信し、受信したチェックポイント位置情報及び識別子を施設情報としてデジタルカメラ１に送信してもよい。サーバ４から送信する施設情報はこれに限らず、例えば施設名、施設の地図の画像、施設近辺の現在の天候を施設情報として送信してもよい。あるいは、サーバ４が現在のデジタルカメラ１の位置に近接するアトラクション（例えばデジタルカメラ１の位置を中心とする半径５０メートルの円内に存在するアトラクション）をデジタルカメラ１の現在位置情報及びアトラクションの位置情報に基づいて判定し、近接すると判定されたアトラクションの名称を施設情報として送信してもよい。また、施設情報の送信のタイミングは任意に設定でき、情報が更新される度（例えば天候が変化した場合）に送信してもよいし、所定時間ごと（例えば１分ごと）に送信してもよい。
【００２４】
デジタルカメラ１は、同種のものを複数のユーザに貸し出しできるように複数用意されており、各デジタルカメラ１には異なる識別番号（ＩＤ）が書き換え不能な状態で付与されている。デジタルカメラ１は、ユーザの各種操作入力を受け付ける操作部１１と、被写体を撮像してその画像を出力する撮像部１３と、撮影された画像などをＬＣＤなどの表示装置１０７に表示させる表示部１２とを有している。また、デジタルカメラ１は、ＧＰＳ衛星８から現在位置情報（以下、デジタルカメラ位置情報という）を受信するＧＰＳ受信部１４と、撮影した画像を無線ＬＡＮやＢｌｕｅｔｏｏｔｈなどの無線通信によりアクセスポイント３を介してサーバ４に送信し、サーバ４から送信される各種情報をアクセスポイント３を介して受信する無線通信部１５とを有している。さらに、デジタルカメラ１は、ＭＣＵ（Microcontroller Unit）などで構成される制御部１０を有する。制御部１０は、無線通信部１５によりサーバ４から受信した最新の施設情報、チェックポイント位置情報及び識別子、ＧＰＳ衛星８から受信した最新のデジタルカメラ位置情報並びに施設の地図の画像を記憶している。図４（ｃ）に示すように、制御部１０はこの地図の画像とデジタルカメラ位置情報と各識別情報に対応するチェックポイント位置情報に基づき、デジタルカメラ１の施設の地図上の位置３１及びチェックポイント７の施設の地図上の位置３２を示す画像を合成して記憶する。以下、この合成画像をフォトラリーマップという。フォトラリーマップ合成のタイミングは任意に設定でき、例えばチェックポイント位置情報またはデジタルカメラ位置情報が変化するたびに合成すれば刻々と変化するデジタルカメラ１またはチェックポイント７の位置をリアルタイムで表示させることができ、ユーザは移動するチェックポイント７を探し出すことができる。さらに制御部１０は、撮影が行われたとき（即ち後述のレリーズボタン１０１が押下されたとき）の撮影状況に関する情報である撮影情報を記憶する。撮影情報には、撮影が行われたときのデジタルカメラ位置情報や、後述の撮影情報入力スイッチ１０９を用いてユーザが明示的に指定できる情報を含めることができる。制御部１０は、後述の画像送信スイッチ１１０が押下された場合、デジタルカメラ１のＩＤ、最新の施設情報、撮影情報及び撮影した画像を画像ファイルとしてサーバ４に送信する。図２はこの画像ファイルの構造を概念的に示している。
【００２５】
図３はデジタルカメラ１の外観を示し、このうち（ａ）はデジタルカメラ１の正面、（ｂ）は背面の外観である。デジタルカメラ１は、レリーズボタン１０１と、ファインダー１０２と、撮像レンズ１０３と、撮影モード切替スイッチ１０５と、ズーム操作スイッチ１０６と、表示装置１０７と、表示切替スイッチ１０８と、撮影情報入力スイッチ１０９と、画像送信スイッチ１１０とを備えている。レリーズボタン１０１、撮影モード切替スイッチ１０５、ズーム操作スイッチ１０６、表示切替スイッチ１０８、撮影情報入力スイッチ１０９及び画像送信スイッチ１１０は操作部１１と接続されており、操作部１１は各ボタンあるいは各スイッチの操作を検出する。ユーザは、デジタルカメラの背面側に設けられた表示装置１０７に表示された画像またはファインダー１０２の画像を見ながら画角を定め、レリーズボタン１０１を操作することで撮影をすることができる。撮影された画像は制御部１０に記憶される。記憶された画像は、画像送信スイッチ１１０を押下することで画像ファイルとしてサーバ４に送信される。
【００２６】
表示切替スイッチ１０８は、画面表示の切替操作を受け付ける。図４に示すように、表示切替スイッチ１０８が押下されると操作部１１はこれを検出する。制御部１０はこの検出に応じ、表示装置１０７の表示を撮影画像（ａ）、施設情報（ｂ）またはフォトラリーマップ（ｃ）のいずれかに切り替えるよう制御する。図４（ｃ）に示すように、フォトラリーマップは施設内におけるデジタルカメラ１の位置３１とチェックポイント７の位置３２との位置関係を施設の地図上に示しており、ユーザはフォトラリーマップを参照しながらチェックポイント７を探し当てることができる。なお、サーバ４のチェックポイント位置情報が更新された場合はこれに応じてチェックポイント７の位置３２の表示も更新されるものとする。同様に、デジタルカメラ位置情報が変化した場合もこれに応じてデジタルカメラ１の位置３１の表示が更新されるものとする。従って、ユーザはフォトラリーマップを参照しながら静止あるいは移動するチェックポイント７を探し出すことができる。なお、チェックポイント７の位置３２を示すアイコンの形状や色は識別子ごとに変えてもよい。
【００２７】
撮影情報入力スイッチ１０９は、撮影された画像とともにサーバ４に送信する撮影情報に含める情報の指定を受け付ける。ここでは、被写体が誰であるかを示す情報、例えば父・母・兄弟・友人などをユーザが指定でき、指定された情報が撮影情報としてサーバ４に送信される。なお。図４（ａ）に示すように指定した情報を被写体の画像とともに表示させてもよい。
【００２８】
（２）プリントサービス
以下、図５のフローチャートに基づき本システムを用いたプリントサービスの流れを説明する。Ｓ１では、ユーザは施設に入場した際にサービスセンタ２等においてデジタルカメラ１を借用する。Ｓ２では、ユーザはデジタルカメラ１に表示されるフォトラリーマップを参照してチェックポイント７を探し出し、これを被写体として撮影する。ただし、チェックポイント７とは無関係に所望の場所で撮影を行ってもよい。撮影はレリーズボタン１０１を押下することにより行う。撮影を行うと表示装置１０７にその撮影画像が表示される。Ｓ３では、ユーザはこの表示を見て撮影画像を確認して写真プリントするか否かを決定する。ユーザはプリントする場合はデジタルカメラ１の画像送信スイッチ１１０を押下する。画像送信スイッチ１１０が押下された場合はＳ４に移行し、画像送信スイッチ１１０が所定時間内（例えば１分間）押下されなかった場合は制御部１０は撮影画像を消去してＳ２に戻る。Ｓ４では、制御部１０は画像ファイル（図２参照）を無線通信部１５及びアクセスポイント３を介してサーバ４に送信する。
【００２９】
Ｓ５では、ユーザは撮影を継続するか否かを判断し、継続する場合にはユーザは上記Ｓ２〜４の操作を繰り返して撮影を続行し、撮影を終了する場合にはＳ６に移行してデジタルカメラ１をサービスセンタ２等の所定の返却所に返却する。Ｓ７では、サーバ４は受信した画像ファイル内の画像に基づいて写真をプリントし、画像ファイル内のＩＤで写真プリントを振り分ける。なお、印刷の完了した画像ファイルの所望のタグに印刷が完了した旨の情報を付加すれば重複印刷の回避に役立つ。ユーザはＩＤで振り分けられた写真をサービスセンタ２で受け取る。Ｓ８では、サービスセンタ２の職員がプリントされた写真を目視で確認し、撮影されたチェックポイント７の数を決定する。この数に応じて職員はユーザに景品を提供する。景品を提供する基準となるチェックポイント７の対象及び数は任意に決定すればよく、例えば施設内の固定のチェックポイントが５つあれば５つ全てが撮影されていれば景品を提供するようにしてもよいし、あるいは施設内を移動するチェックポイントが３つあればそのうち２つが撮影されていれば景品を提供するようにしてもよい。さらに、画像ファイルに含まれる撮影情報や施設情報に応じて景品を提供するようにしてもよい。例えば、撮影情報に被写体が父及び母であることを示す情報が含まれている場合に特別の景品を提供するようにしてもよい。あるいは、晴れ、曇り、雨の天候をそれぞれ施設情報に含む複数の画像ファイルがサーバ４に送信され、これらの画像ファイルが全て揃った場合はユーザに特別の景品を提供するようにしてもよい。
【００３０】
（３）本実施例に係る写真サービスシステムの特徴
上述のように、各チェックポイント７はその現在位置情報（チェックポイント位置情報）をＧＰＳ衛星８から受信してアクセスポイント３を介しサーバ４に送信する。サーバ４は、受信したチェックポイント位置情報を施設内で使用中の各デジタルカメラ１に送信する。デジタルカメラ１は、その現在位置情報（デジタルカメラ位置情報）をＧＰＳ衛星８から受信する。デジタルカメラ１は、施設の地図の画像を記憶しており、地図の画像、デジタルカメラ位置情報及びチェックポイント位置情報に基づき、デジタルカメラ１の施設の地図上の位置及びチェックポイントの施設の地図上の位置を示す画像を合成して記憶する。この合成画像（フォトラリーマップ）は表示切替スイッチ１０８の操作により表示装置１０７に表示させることができるため（図４（ｃ）参照）、ユーザはフォトラリーマップを参照しながら静止あるいは移動するチェックポイント７を探し出すことができる。
【００３１】
また、サーバ４は、施設に関する情報である施設情報を施設内で使用されている各デジタルカメラ１に送信する。施設情報は、表示切替スイッチ１０８の操作により表示装置１０７に表示させることができる（図４（ｂ）参照）。ユーザがレリーズボタン１０１を押下して被写体を撮影し、画像送信スイッチ１１０を押下すると、デジタルカメラ１はデジタルカメラ１のＩＤ、施設情報、撮影情報及び撮影した画像を画像ファイルとしてサーバ４に送信する。従って、サーバ４は各デジタルカメラ１から送信された画像がどのユーザから送信されたものかをＩＤによって識別でき、これに従って印刷された写真を振り分けることができる。また、各画像ファイルには施設情報及び撮影情報が含まれているから、これらに基づいて各画像がどこでどのような状況で撮影されたかを確認できる。なお、画像ファイルに印刷が完了した旨の情報が付加されていれば、同じ画像を重複して印刷するのを容易に回避できる。
【００３２】
そして、ＩＤで仕分けされて印刷された画像を目視することで各ユーザの撮影したチェックポイント７の数を確認することができ、この数に応じて景品をユーザに提供できる。こうすることでフォトラリーの興趣性が高まり、施設におけるデジタルカメラの利用促進及び画像印刷の増大につながる。なお、サーバ４に送信された撮影情報や施設情報に応じて景品を提供してもよく、こうすることでさらにフォトラリーの興趣性が高まる。
【実施例２】
【００３３】
実施例１ではデジタルカメラ１は撮影した画像を画像ファイルに含めてサーバ４に送信していたが、デジタルカメラ１にスマートメディアなどの記録媒体を備えさせ、この記録媒体に撮影画像を画像ファイルとして記憶させてもよい。また、この画像ファイルの所望のタグに撮影情報や施設情報をあわせて記憶させてもよい。例えば、画像ファイルがＥｘｉｆ（Exchangeable Image File Format）形式のＴＩＦＦデータである場合、ＩＦＤ０（IFD of main image）に含まれるタグであるImageDescriptionタグ（タグ番号0x010e）などの所望のタグに撮影情報や施設情報をさせてもよい。そして、タグに上記のような情報が記憶された場合、表示切替スイッチ１０８を操作することで記憶された情報を図４（ａ）、（ｂ）と同様に表示装置１０７に表示させるようにしてもよい。このようにしても、各画像がどこでどのような状況で撮影されたかを確認できる。一方、サービスセンタ２では、返却されたデジタルカメラ１の記録媒体から画像ファイルを読み出して印刷すればよく、さらに印刷された画像ファイルの所望のタグに印刷が完了した旨の情報を記憶させた上で記録媒体をユーザに返却してもよい。このようにすれば、記録媒体内の画像の重複印刷を避けることができる。
【実施例３】
【００３４】
実施例１ではチェックポイント７はＧＰＳ受信部７１を有していたが、チェックポイント７の位置が固定されている場合は、サーバ４にチェックポイント位置情報とチェックポイント７の識別子とを対応させた情報を記憶させ、この情報を施設情報としてデジタルカメラ１に送信するようにしてもよい。そして、デジタルカメラ１はこの施設情報に基づいてフォトラリーマップを合成すればよい。このようにしても、デジタルカメラ１にはチェックポイント７の位置が表示されることとなり、ユーザはこれを見ながらフォトラリーを楽しむことができる。
【図面の簡単な説明】
【００３５】
【図１】本発明の好ましい実施例に係る写真サービスシステムの機能構成図。
【図２】画像ファイルの構造を概念的に示した図。
【図３】デジタルカメラの外観。
【図４】表示切替の例。
【図５】本システムを用いたフォトラリーの流れ。
【符号の説明】
【００３６】
１・・デジタルカメラ、２・・サービスセンタ、３・・アクセスポイント、７・・チェックポイント
【図１】
2005189905.tif 000003
【図２】
2005189905.tif 000004
【図３】
2005189905.tif 000005
【図４】
2005189905.tif 000006
【図５】
2005189905.tif 000007